(57)【要約】【課題】人が密集している場所でも周囲の人とぶつからず、また、長時間使用する場合でも重さが負担とならず、更に、折り畳んだ際にも、嵩張らずコンパクトな形状にでき、軽く持ち運びに便利な日傘又は雨傘を提供する。【解決手段】本考案によって提供される日傘又は雨傘１は、シート部２と、シート部２の外周に設置したフレーム部３と、を有する遮蔽体５と、遮蔽体５を身体へ装着するための固定部４と、を備える日傘又は雨傘１であって、フレーム部３が弾性部材からなることを特徴とする日傘又は雨傘１。【選択図】図１
2020146263.tif 000002
【特許請求の範囲】
【請求項１】
シート部と、前記シート部の外周に設置したフレーム部と、を有する遮蔽体と、前記遮蔽体を身体へ装着するための固定部と、を備える日傘又は雨傘において、
前記フレーム部が弾性部材からなることを特徴とする日傘又は雨傘。
【請求項２】
前記固定部が、前記遮蔽体の長手方向における両端部の近傍で、且つ、内側に配置した一対のベルト状部材であって、前記ベルト状部材の両端部を前記遮蔽体の幅方向に固定していることを特徴とする請求項１に記載の日傘又は雨傘。
【請求項３】
前記ベルト状部材が、略同形状のベルト状部材を少なくとも２つ重ねて形成され、略同形状のベルト状部材間には、腕を通すことが可能なすき間を備えることを特徴とする請求項２に記載の日傘又は雨傘。
【請求項４】
前記固定部が、前記遮蔽体の長手方向における両端部の近傍に設置した帯状部材であって、前記帯状部材の一端を前記フレーム部に固定し、他端には連結部材を備えることを特徴とする請求項１に記載の日傘又は雨傘。
【請求項５】
前記固定部が、布状部材の外周に形状保持部材を有するものであって、前記遮蔽体の長手方向における両端部の近傍であって、前記シート部上に設置したものであることを特徴とする請求項１に記載の日傘又は雨傘。
【請求項６】
前記固定部が、前記遮蔽体の長手方向における両端部近傍に、開口部を設けたものであることを特徴とする請求項１に記載の日傘又は雨傘。
【請求項７】
前記固定部が、前記遮蔽体の長手方向における両端部近傍に、開口部を設け、前記開口部の近傍に少なくとも２つのベルト状部材を前記遮蔽体の幅方向に並べて設置したことを特徴とする請求項１に記載の日傘又は雨傘。
【請求項８】
請求項６に記載の固定部であって、さらに、前記遮蔽体の長手方向における端部近傍の前記フレーム部に、一端を固定した少なくとも２つの帯状部材であって、前記遮蔽体を凸型に変形したときに、前記帯状部材同士が十字状にクロスするように、対向する前記フレーム部に他端を連結したものであることを特徴とする日傘又は雨傘。
【請求項９】
前記固定部が、弾性体からなる略C字形状部材であって、前記遮蔽体の長手方向における両端部の近傍であって、前記シート部上に設置したものであることを特徴とする請求項１に記載の日傘又は雨傘。
【請求項１０】
前記遮蔽体が、少なくとも２枚の遮蔽体を上下方向に重ね合わせて連結し、中央部に配置したセンター遮蔽体と、少なくとも２枚の遮蔽体を紐状部材で水平方向に連結し、前記センター遮蔽体の内部に収納できるとともに、センター遮蔽体の両側に突出することができるサイド遮蔽体と、からなることを特徴とする請求項１乃至９に記載のいずれか一項に記載の日傘又は雨傘。
【請求項１１】
前記シート部が、内側がメッシュシート、外側が撥水シートの２層からなることを特徴とする請求項１乃至１０に記載のいずれか一項に記載の日傘兼用雨傘。
【発明の詳細な説明】
【技術分野】
【０００１】
本発明は、両手を使うことなく保持可能な日傘又は雨傘に関する。
【背景技術】
【０００２】
従来、強い日差しのあるときや降雨時には、日傘や雨傘などの柄を手で持って支える必要があった。このため、傘を手で持つと少なくとも片手が塞がってしまうため、荷物を両手で持つことができない、傘を長い時間さしていると腕が疲れてしまうといった問題があった。
【０００３】
従来技術において、手を添えずとも、傘を保持できる機構が組み込まれた傘が特許文献１に開示されている。特許文献１に記載の考案は、傘生地が張られる親骨から、下方に左右２本ずつの棒状部材を延伸して、左右それぞれ２本の棒状部材の下方端部をリング状に連結し、リング状の部分に腕を通して傘を保持するというものである。
【０００４】
しかしながら、この傘は、親骨、生地、受骨などの傘の上部構造は通常の傘と同様であるため、例えば、スタジアムでのスポーツ観戦、音楽フェスなどのように人が密集している場所で使用すると周囲の人とぶつかってしまう、特に露先が当たってしまうと怪我などの危険性がある。また、例えば、釣りの際など、長時間傘をさしている必要がある場合や幼児を抱っこしているときなどは、傘の重さが負担となる。更に、折り畳んで持ち運ぶ際には、嵩張りや重いなどの不便があった。
【先行技術文献】
【特許文献】
【０００５】
【特許文献１】特開２００７−５４１０５号公報
【発明の概要】
【発明が解決しようとする課題】
【０００６】
そこで、本発明の課題は、人が密集している場所でも周囲の人とぶつからず、また、長時間使用する場合でも重さが負担とならず、更に、折り畳んだ際にも、嵩張らずコンパクトな形状にでき、軽く持ち運びに便利な日傘又は雨傘を提供することにある。
【０００７】
本発明者は、上記課題を解決するために鋭意検討を重ねた結果、本考案を完成するに至った。
【課題を解決するための手段】
【０００８】
（１）  シート部と、シート部の外周に設置したフレーム部と、を有する遮蔽体と、遮蔽体を身体へ装着するための固定部と、を備える日傘又は雨傘において、フレーム部が弾性部材からなることを特徴とする日傘又は雨傘。
（２）  固定部が、遮蔽体の長手方向における両端部の近傍で、且つ、内側に配置した一対のベルト状部材であって、ベルト状部材の両端部を遮蔽体の幅方向に固定していることを特徴とする（１）に記載の日傘又は雨傘。
（３）  ベルト状部材が、略同形状のベルト状部材を少なくとも２つ重ねて形成され、略同形状のベルト状部材間には、腕を通すことが可能なすき間を備えることを特徴とする（２）に記載の日傘又は雨傘。
（４）  固定部が、遮蔽体の長手方向における両端部の近傍に設置した帯状部材であって、帯状部材の一端をフレーム部に固定し、他端には連結部材を備えることを特徴とする（１）に記載の日傘又は雨傘。
（５）  固定部が、布状部材の外周に形状保持部材を有するものであって、遮蔽体の長手方向における両端部の近傍であって、シート部上に設置したものであることを特徴とする（１）に記載の日傘又は雨傘。
（６）  固定部が、遮蔽体の長手方向における両端部近傍に、開口部を設けたものであることを特徴とする（１）に記載の日傘又は雨傘。
（７）  固定部が、遮蔽体の長手方向における両端部近傍に、開口部を設け、開口部の近傍に少なくとも２つのベルト状部材を遮蔽体の幅方向に並べて設置したことを特徴とする（１）に記載の日傘又は雨傘。
（８）  （６）に記載の固定部であって、さらに、遮蔽体の長手方向における端部近傍のフレーム部に、一端を固定した少なくとも２つの帯状部材であって、遮蔽体を凸型に変形したときに、帯状部材同士が十字状にクロスするように、対向する前記フレーム部に他端を連結したものであることを特徴とする日傘又は雨傘。
（９）  固定部が、弾性体からなる略C字形状部材であって、遮蔽体の長手方向における両端部の近傍であって、シート部上に設置したものであることを特徴とする（１）に記載の日傘又は雨傘。
（１０）  遮蔽体が、少なくとも２枚の遮蔽体を上下方向に重ね合わせて連結し、中央部に配置したセンター遮蔽体と、少なくとも２枚の遮蔽体を紐状部材で水平方向に連結し、センター遮蔽体の内部に収納できるとともに、センター遮蔽体の両側に突出することができるサイド遮蔽体と、からなることを特徴とする（１）〜（９）に記載のいずれかに記載の日傘又は雨傘。
（１１）  シート部が、内側がメッシュシート、外側が撥水シートの２層からなることを特徴とする（１）〜（１０）に記載のいずれかに記載の日傘兼用雨傘。
【発明の効果】
【０００９】
本発明によれば、人が密集している場所で使用しても周囲の人とぶつからず、また、長時間使用する場合でも重さが負担とならず、更に、折り畳んだ際にも、嵩張らずコンパクトな形状にでき、持ち運びを容易にすることができる。
【図面の簡単な説明】
【００１０】
【図１】（A）は、本考案の実施形態１に係る日傘又は雨傘の底面図、（B）は、（A）のX−X断面図、（C）は、日傘又は雨傘を装着した状態を示す概念図、（D）は、ベルト状部材の別の例である。
【図２】（A）は、別の固定部を備える日傘又は雨傘の底面図、（B）は、日傘又は雨傘装着時の固定部の拡大図、（C）は、日傘又は雨傘を装着した状態を示す概念図である。
【図３】（A）は、更に、別の固定部を備える日傘又は雨傘の底面図、（B）は、固定部の平面図、（C）は、日傘又は雨傘を装着した状態を示す概念図である。
【図４】（A）は、更に、別の固定部を備える日傘又は雨傘の底面図、（B）は、日傘又は雨傘を装着した状態を示す概念図である。
【図５】（A）は、更に、別の固定部を備える日傘又は雨傘の平面図、（B）は、ベルト状部材の拡大図である。
【図６】（A）は、更に、別の固定部を備える日傘又は雨傘の平面図、（B）は、日傘又は雨傘装着時の固定部の部分拡大図、（C）は、日傘又は雨傘を装着した状態を示す概念図であり、（i）は正面図、（ii）は背面図である。
【図７】（A）は、更に、別の固定部を備える日傘又は雨傘の底面図、（B）は、日傘又は雨傘を装着した状態を示す概念図である。
【図８】（A）は、更に、別の固定部を備える日傘又は雨傘の底面図、（B）は、日傘又は雨傘を装着した状態を示す概念図である。
【図９】（A）は、日傘又は雨傘の平面図、（B）は、捻りによる折畳み過程を示す概念図、（C）は、折畳み後の概念図である。
【図１０】（A）は、本考案の実施形態２に係る遮蔽体の分解図、（B）は、平面図である。
【発明を実施するための形態】
【００１１】
[実施形態１]
以下、添付の図面と共に、本発明の実施形態１について説明する。
図１〜図９は、本発明の実施形態１を示す図であり、図１〜図８は、固定部がそれぞれ異なる例を示すものである。
図１は、（A）が本発明の実施形態１に係る日傘又は雨傘の底面図、（B）は、（A）のX−X断面図、（C）は、日傘又は雨傘を装着した状態を示す概念図、（D）は、ベルト状部材の別の例を示すものである。
【００１２】
実施形態１に係る日傘又は雨傘１は、図１（A）に示すように、シート部２と、シート部２の外周に設置したフレーム部３と、を有する略矩形の遮蔽体５と、遮蔽体５を身体へ装着するための固定部４と、を備えている。
【００１３】
シート部２は、本発明を日傘とする場合には、空気を透過するメッシュシートから形成する。生地の色は、白色系とすると日光の反射が大きくなり、黒色系は視界という観点では良好となる。材質としては、ポリエステル製やナイロン製などの使用することができるが、これに限られるものではない。シート部２は、本考案を雨傘とする場合には、撥水シートから形成する。素材としては、ポリエステル、ナイロン、ポリエチレンなどを挙げることができる。なお、スポーツ観戦時などに使用する場合には、ビニール傘などに用いられるポリエチレンを使用すると、視覚を遮られにくく好ましい。なお、シート部２は、メッシュシートを内側、撥水シートを外側とする２層構造としてもよい。このようにすると、日傘兼雨傘とすることできる。シート部２の内側とは、日傘又は雨傘１を装着したときに、身体側の面をいい、外側はその反対側をいう。
【００１４】
フレーム部３は、図１（B）に示すように、フレーム生地３１を環状にして内部にワイヤ３２を収納し、フレーム生地３１の両端部をシート部２に逢着して形成している。ワイヤ３２は、弾性体からなるものであり、ばね鋼、FRP、ポリエチレンなどの素材を利用することができる。フレーム部３は、弾性部材であることを要するが、ここでいう弾性部材は、日傘又は雨傘１は、使用時には凸型の形状に変形させ、持ち運び時には、捻って小さく折り畳むが、外力がなくなった際には、遮蔽部材５が略平板状に復帰することができる程度の弾性を有する部材であることを意味する。
【００１５】
固定部４は、図１（A）（B）の例に示すように、ベルト状部材４１を遮蔽体５の長手方向の両端部の近傍に、幅方向に設置している。ベルト状部材４１は、フレーム部３に両端を逢着している。なお、固定する端部の位置は、フレーム部３に限られるものではなく、シート部２であってもよい。ベルト状部材４１は、帯形状のものの他、紐形状などであってもよい。
なお、日傘又は雨傘１は、図１（C）に示すように、遮蔽体５を凸型に変形して、ベルト状部材４１と遮蔽体５の間に腕を通して使用する。
ベルト状部材４１の別の例は、図１（D）に示すように、２つのベルト状部材４１’Ａ、４１’Ｂを重ねてベルト状部材４１’を形成し、フレーム部３に両端を逢着している。ベルト状部材４１’の長手方向の一端部の近傍は、ベルト状部材４１’Ａ、４１’Ｂに固着部４１０を有し、固着部４１０は逢着などの方法により形成している。また、他端部の近傍は、ボタン４１１、４１１、４１１を備え、ベルト状部材４１’Ａ、４１’Ｂを固定しているが、ボタン４１１の着脱により、固定幅を変更することができる。ベルト状部材４１’Ａ、４１’Ｂの間には、すき間Ｍを形成している。日傘又は雨傘１を使用するときには、すき間Ｍに腕を通して装着する。なお、上述のごとく、すき間Ｍの幅は、腕の太さや季節による服装の変化に対応でるように、ボタンの着脱により調整することができる。なお、ボタンにかえて面ファスナーなどを利用することもできる。
【００１６】
別の例の固定部４２は、図２（A）（B）に示すように、遮蔽体５の長手方向における両端部の近傍に設置した帯状部材（４２L、４２’L、４２R、４２’R）であって、一端がフレーム部３に固定されており、他端には連結部材（４２１L、４２１’L （図示せず）、４２１R、４２１’R （図示せず））を設置している。連結部材（４２１L、４２１’L（図示せず）、４２１R、４２１’R （図示せず））としては、面ファスナー、ボタンなどを利用することができる。遮蔽体５を長手方向の中央部で凸型に変形したときに、対向する位置にある帯状部材４２Lと４２R、４２’Lと４２’Rは、連結部材（４２１L、４２１’L （図示せず）、４２１R、４２１’R （図示せず））を介して固定される。日傘又は雨傘１は、図２（C）に示すように、遮蔽体５を凸型に変形して、身体の外側（腕を含む）に装着して使用する。
【００１７】
更に、別の固定部４３は、図３（A）に示すように、遮蔽体５の長手方向における両端部の近傍であって、シート部２上の中央部に設置している。固定部４３は、図３（B）に示すように、固定生地４３１の外周に形状保持部材４３２を配置したものである。形状保持部材４３２としては、塑性変形をするもの、例えば、針金などを利用することができる。日傘又は雨傘１は、図３（C）に示すように、固定部４３を腕に巻き付けて身体に装着する。
【００１８】
更に、別の固定部４４は、図４（A）に示すように、遮蔽体５の長手方向における両端部において、シート部２とフレーム部３を固定せずに、開口部６を設けたものである。なお、フレーム部３に固定していない開口部６に位置するシート部２１は、設けなくともよい。日傘又は雨傘１は、図４（B）に示すように、開口部６に腕を通して身体に装着する。
【００１９】
更に、別の固定部４４’は、図５（A）に示すように、遮蔽体５の長手方向における両端部に、開口部６’を設け、さらにベルト状部材４４１を遮蔽体５の長手方向の両端部の開口部６’近傍に、幅方向に設置している。ベルト状部材４４１は、フレーム部３に両端部を逢着している。ベルト状部材４４１は、図５（B）に示すように、２つのベルト状部材４４１Ａ，４４１Ｂを平行に並べて形成している。ベルト状部材４４１Ａ，４４１Ｂの材質は、帯状のゴムや革など様々なものを使用することができる。さらに、開口部６’近傍の外側に少なくとも開口部６’を塞ぐことが出来る大きさのシート２２を配置することができる。日傘又は雨傘１を使用するときには、例えば、ベルト状部材４４１Ａを引上げ、ベルト状部材４４１Ｂを引き下げて、その間に腕を通し、次いで、開口部６’に腕を通して装着することができる。なお、ベルト状部材４４１Ａを引下げ、ベルト状部材４４１Ｂを引き上げて、その間に腕を通してもよい。シート２２を配置した場合には、開口部６’を通過した腕も日差しや雨などを防ぐことが出来るようになる。
【００２０】
更に、別の固定部４７は、図６（A）に示すように、遮蔽体５の長手方向における両端部に開口部６２を設け、さらに、開口部６２を形成するフレーム部３に一端を固定している帯状部材４３L、４３Rを設置している。帯状部材４３L、４３Rは、両端部に１つずつ設置しているが、一方の端部の両側に２つ設置してもよい。シート部２３は、開口部６２ではフレーム部３に固定されておらず、その部分は、開口部６２を覆うことができる大きさ又はそれ以上の大きさであってもよい。
【００２１】
更に、開口部６２には、幅方向にベルト状部材４４２を設置してもよい。また、フレーム部３に袋状部材１０を設置してもよい。袋状部材１０は、ベース部材１０１と、ベース部材１０１より小さい蓋部材１０２とを備え、蓋部材１０２上に連結部材５１３を設置して構成している。シート部材２３上に連結部材５１４を設置し、袋状部材１０とシート部材２３は、着脱自在としてもよい。このように構成することにより、遮蔽体５を折り畳んだ際に、袋状部材１０に収納できるとともに、使用時には、連結部材５１３，５１４を介してシート部材２３に固定することにより、日光の遮蔽率を向上させることもできるし、邪魔にならない。ベース部材１０１、蓋部材１０２は、シート部材２３と同じ材質とすることが好ましい。また、フレーム部３に固定していないシート部２３に蓋部材１０２を設置して、袋状部材１０としてもよい。もちろん、袋状部材１０は、本発明の他の形態にも装着してもよい。
【００２２】
帯状部材４３L、４３Rは、図６（B）に示すように、遮蔽体５を凸型に変形したときに、帯状部材４３L、４３R同士が十字状にクロスするように、対向するフレーム部３に他端を連結している。帯状部材４３L、４３Rにより形成したすき間Ｍ１、Ｍ１に下方から腕を通し、さらに、開口部６２に腕を通して、図６（C）（i）（ii）に示すように、日傘又は雨傘１を装着する。図６（C）（i）は前面、（ii）は背面を示す。
【００２３】
更に、別の固定部４５は、図７（A）に示すように、遮蔽体５の長手方向の両端部に、開口部６１を設置している。開口部６１の端部には、弾性体からなる略Ｃ字形部材４５１を設置している。略Ｃ字形部材４５１の両端部は、フレーム部３に連結している。日傘又は雨傘１は、図７（B）に示すように、略Ｃ字形状部材４５１により肩を挟持して身体に装着する。また、略Ｃ字形状部材４５１の腕を通して装着してもよい。
【００２４】
更に、別の固定部４６は、図８（A）に示すように、遮蔽体５の長手方向における両端部の近傍であって、シート部２の中央部に弾性体からなる略Ｃ字形部材４６１を設置してなるものである。日傘又は雨傘１は、図８（Ｂ）に示すように、略Ｃ字形状部材４６１により肩を挟持して身体に装着する。Ｃ字形状部材は弾性体から形成している。また、略Ｃ字形状部材４６１の腕を通して装着してもよい。
【００２５】
日傘又は雨傘１の収納方法は、図９（A）に示すように、日傘又は雨傘１の両サイドのフレーム部３を逆方向に捻じるように力を加える。そうすると、図９（B）に示すように、捻じれていくと共に、両サイド間の距離が縮まり、図９（C）に示すように、フレーム部３が複数の円形状に重なることによって、コンパクトなサイズとなる。
【００２６】
[実施形態２]
図１０は、本発明の日傘又は雨傘１の実施形態２についての遮蔽体５０を示す。実施形態２の遮蔽体５０は、図１０（A）に示すように、シート部２４と、シート部２４の外周に設置したフレーム部３２と、を有する２つの遮蔽体５１、５１を、２つの紐状部材９、９で連結したサイド遮蔽体５０Sと、を有すると共に、シート部２５と、シート部２５の外周に設置したフレーム部３３と、を有する遮蔽体５２（下側の遮蔽体は図示せず）を２つ重ねて連結したセンター遮蔽体５０Cを備える。サイド遮蔽体５０Sのそれぞれの遮蔽体５１には、センター遮蔽体５０Cとの連結具５１１、５１１を備え、センター遮蔽体５０Cにも、サイド遮蔽体５０Sとの連結具５２２，５２２を備える。連結具５１１、５１１、５２２、５２２は、ボタン、面ファスナー、ピンなどを利用することができる。紐状部材９としては、帯形状のゴム紐などを利用することができる。センター遮蔽体５０Ｃを構成する２つの遮蔽体５０の連結は、外周部を逢着してもよいし、面ファスナー、ボタンなどで固定してもよい。ただし、サイド遮蔽体５０Ｓを出し入れする両側端部は、連結していない。
【００２７】
実施形態２に係る遮蔽体５０は、図１０（B）に示すように、２枚の遮蔽体５２によって形成されたセンター遮蔽体５０Cの内部から、サイド遮蔽体５０Sの遮蔽体５１が両側に突出して構成している。センター遮蔽体５０Cとサイド遮蔽体５０Sは連結具５１１、５１１、５２２、５２２を介して固定することができる。実施形態２に係る固定部（図示せず）については、実施形態１と同様の構成とすることができる。
【００２８】
本発明は、上記各実施形態で説明した構成に限定されず、特許請求の範囲に記載した内容を逸脱することなく、当業者が考え得る各種変形例を含むことができる。
【符号の説明】
【００２９】
１  日傘又は雨傘
２  ２１  ２２  ２３  ２４  ２５  シート部
３  ３１  ３２  ３３  フレーム部
３１  フレーム生地
３２  ワイヤ
４  ４２  ４３  ４４  ４４’  ４５  ４６  ４７  固定部
４１  ４１’  ４１’Ａ  ４１’Ｂ  ４４１  ４４１Ａ  ４４１Ｂ  ４４２  ベルト状部材
４２Ｌ  ４２’Ｌ  ４２Ｒ  ４２’Ｒ  ４３Ｌ  ４３Ｒ  帯状部材
４１０  固着部
４１１  ボタン
４２１Ｌ  ４２１’Ｌ  ４２１Ｒ  ４２１’Ｒ  連結部材
４３１  固定生地
４５１  ４６１  略Ｃ字形状部材
５  ５０  ５１  ５２  遮蔽体
５０Ｃ  センター遮蔽体
５０Ｓ  サイド遮蔽体
５１１  ５１２  ５１３  ５１４  連結具
６  ６’  ６１  ６２  開口部
８  人
９  紐状部材
１０  袋状部材
Ｍ  Ｍ１  すき間
【図１】
2020146263.tif 000003
【図２】
2020146263.tif 000004
【図３】
2020146263.tif 000005
【図４】
2020146263.tif 000006
【図５】
2020146263.tif 000007
【図６】
2020146263.tif 000008
【図７】
2020146263.tif 000009
【図８】
2020146263.tif 000010
【図９】
2020146263.tif 000011
【図１０】
2020146263.tif 000012